(57)【要約】【課題】腰ゴム入りボトムスにおいて、タウンウェアとしてのファッション性を有しており、着用したときのシルエットが美しく、かつ、極めて容易に着脱でき、着心地良く下腹部を引き締めたりヒップアップしたりして、スタイル良く見せることができること。【解決手段】ブーツカットパンツ１は、腰ゴム４のみでウエスト周りを締め付けて着用する構造で、ベルト部２及びベルト部２の近傍の身頃３が身頃３のヒップ周りの大きさ以上に伸長可能であるため、ベルト部２及びベルト部２の近傍の身頃３を引き伸ばして着用することができ、着脱が極めて容易である。更に、ブーツカットパンツ１の腹部裏側には、全周にわたって、伸縮性の大きい生地としてのパワーネットからなる押え布６が取付けられている。したがって、ブーツカットパンツ１を着用することによって、前面の押え布６で腹部が押さえられる効果が得られ、背面の押え布６でヒップアップの効果が得られる。【選択図】図１
2011021294.tif 000002
【特許請求の範囲】
【請求項１】
ベルト布を縫い合わせてなるベルト部と身頃とを有し、前記ベルト部の全周に亘って平らな腰ゴムを仕込んだ腰ゴム入りボトムスであって、
前記ベルト部及び前記身頃の上端から裾周りまでが伸縮性を有する生地からなり、
前記ベルト部が収縮した状態において収縮した状態における前記腰ゴムと全周長さが略一致しており、
前記ベルト部及び前記ベルト部近傍の身頃が前記身頃のヒップ周りの大きさ以上に伸長可能で、
前記ベルト部近傍の身頃の裏側及び前記身頃のヒップ周りの裏側に全周に亘って伸縮性の大きい生地からなる押え布を取付けて、前記押え布は前記ベルト部及び股座部分のみにおいて前記身頃の裏側に縫付けられたことを特徴とする腰ゴム入りボトムス。
【請求項２】
前記押え布は、前記腰ゴム入りボトムスの前中心近傍全体と前記押え布の下半分において前記伸縮性の大きい生地が二重に縫付けられたことを特徴とする請求項１に記載の腰ゴム入りボトムス。
【請求項３】
前記押え布は、前記身頃の前面下腹部周りの裏側のみに取付けられたことを特徴とする請求項１または請求項２に記載の腰ゴム入りボトムス。
【請求項４】
両脇ポケットの袋布を前身頃の前中心の裏側に縫付けて、前記押え布を前記袋布に縫付けて、前記袋布の下腹に当る部分及び前記袋布の腹部中心線に当る部分には伸縮性のない生地を用い、その他の部分には伸縮性を有する生地を用いたことを特徴とする請求項３に記載の腰ゴム入りボトムス。
【請求項５】
前記押え布は、バックガードルとして前記身頃のヒップ周りの裏側のみに取付けられたことを特徴とする請求項１または請求項２に記載の腰ゴム入りボトムス。
【請求項６】
前記バックガードルは、前記身頃の脇線からベルト部に股下まで届くようにヒップラインの部分は二重にしてパワーネット生地を縫付けてさらに反対側の脇線まで半周させて縫付けたことを特徴とする請求項５に記載の腰ゴム入りボトムス。
【請求項７】
前記バックガードルは、股下７ｃｍ以上１０ｃｍ未満としたことを特徴とする請求項５または請求項６に記載の腰ゴム入りボトムス。
【請求項８】
後身頃の裏側に前記バックガードルとして伸縮性の大きい生地を用いてヒップ部分を持上げるようにするとともに、前記バックガードルの左右の上端において前記伸縮性の大きい生地にダーツを設けたことを特徴とする請求項５に記載の腰ゴム入りボトムス。
【請求項９】
前記身頃の前中心に擬似前立てを設けたことを特徴とする請求項１乃至請求項８のいずれか１つに記載の腰ゴム入りボトムス。
【請求項１０】
前記ベルト部の上端が前中心及び後中心から両脇に向かって上昇する曲線形状を有しており、前記身頃の上端が前中心及び後中心から両脇に向かって上昇する曲線形状を有していることを特徴とする請求項１乃至請求項９のいずれか１つに記載の腰ゴム入りボトムス。
【発明の詳細な説明】
【技術分野】
【０００１】
本発明は、ズボン（パンツ）類、更に詳しくはブーツカット（フルレングス）パンツ・クロフト（六分丈〜八分丈）パンツ・ハーフパンツ・ショートパンツ等、及びスカート・キュロットスカート等（以下、これらを総称して「ボトムス（bottoms）」という）のベルト部の全周に腰ゴムを仕込んだ、シェイプアップ機能付きの腰ゴム入りボトムスに関するものである。
【背景技術】
【０００２】
従来のシェイプアップ機能付き衣服は、ガードル等の補正着形式のものが大部分であり、通常の下着の上に補正着を着用し、その上に更にズボン・スカート等の通常のボトムスを着用しなければならず、着脱が面倒であり、しかも通常のボトムスの表面に当りが出て見栄えも良くないという問題があった。一方、近年は腰ゴム入りボトムス等のスポーツウェアにも、タウンウェアと同等のファッション性が求められるようになっており、特に女性用のスポーツウェアにおいてその傾向が著しい。
【０００３】
そこで、これらの問題を解決するために、本発明者らは、特許文献１及び特許文献２に記載の発明をしている。特許文献１においては、両脇ポケットの袋布が前中心と脇線の間の裏側に縫付けられており、袋布の下腹に当る部分と腹部中心線に当る部分に伸縮性のない生地を用い、その他の部分には伸縮性を有する生地を用いたシェイプアップ機能付きボトムスの発明について開示している。これによって、通常の下着の上に直接着用するだけで、着心地良く下腹部を引き締めてスタイル良く見せることができる。
【０００４】
また、特許文献２においては、腰ゴムのみでウエスト周りを締め付けて着用する構造であって、ベルト部及びベルト部の近傍の身頃がヒップ周りの大きさ以上に伸長可能な腰ゴム入りボトムスの発明について開示している。これによって、通常のズボン等のタウンウェアとしてのファッション性を有しており、着用したときのシルエットが美しく、極めて容易に着脱することができる腰ゴム入りボトムスとなる。
【先行技術文献】
【特許文献】
【０００５】
【特許文献１】特開２００５−１５４９９７号公報
【特許文献２】特開２００９−００７７２２号公報
【発明の概要】
【発明が解決しようとする課題】
【０００６】
しかしながら、上記特許文献１に記載のシェイプアップ機能付きボトムスにおいては、前中心にファスナーが取付けられており、これらのパンツを着脱する際にはファスナーを開閉しなければならず、その分だけ着脱が面倒である。また、上記特許文献２に記載の腰ゴム入りボトムスにおいては、着用するだけでは下腹部を引き締めることができず、ヒップアップの効果も得られないという問題点があった。
【０００７】
そこで、本発明は、かかる課題を解決すべくなされたものであって、通常のズボン（パンツ）等のタウンウェアとしてのファッション性を有しており、着用したときのシルエットが美しく、かつ、極めて容易に着脱でき、着心地良く下腹部を引き締めたりヒップアップしたりして、スタイル良く見せることができる腰ゴム入りボトムスを提供することを目的とする。
【課題を解決するための手段】
【０００８】
請求項１の発明に係る腰ゴム入りボトムスは、ベルト布を縫い合わせてなるベルト部と身頃とを有し、前記ベルト部の全周に亘って平らな腰ゴムを仕込んだ腰ゴム入りボトムスであって、前記ベルト部及び前記身頃の上端から裾周りまでが伸縮性を有する生地からなり、前記ベルト部が収縮した状態において収縮した状態における前記腰ゴムと全周長さが略一致しており、前記ベルト部及び前記ベルト部近傍の身頃が前記身頃のヒップ周りの大きさ以上に伸長可能で、前記ベルト部近傍の身頃の裏側及び前記身頃のヒップ周りの裏側に全周に亘って伸縮性の大きい生地からなる押え布を取付けて、前記押え布は前記ベルト部及び股座部分のみにおいて前記身頃の裏側に縫付けられたものである。
【０００９】
ここで、「ボトムス（bottoms,ボトムズともいう）」とは、上半身に着用する衣類であるトップス（tops）に対する用語で、ズボン（パンツ）類、更に詳しくはブーツカット（フルレングス）パンツ・クロフト（六分丈〜八分丈）パンツ・ハーフパンツ・ショートパンツ等、及びスカート・キュロットスカート等の、下半身に着用する衣類を意味する。
【００１０】
また、「伸縮性を有する生地」としては、伸縮性を有するポリエステル生地、ニット生地、トリコット生地、ポリウレタンが１％から３０％混入されたポリウレタン混合生地、綿ストレッチ生地、等を用いることができる。ベルト部と身頃とは、同種の生地で構成されても良いし、異なる生地で構成されても良い。更に、身頃の少なくとも上端から腰周りまでは伸縮性を有する生地から構成される必要があるが、それより下の部分は同一の生地でも異なる生地でも良い。
【００１１】
更に、「伸縮性の大きい生地」とは、上記伸縮性を有する生地よりも更に伸縮性が大きく、弾力性に富む生地であって、具体的には、パワーネット生地、サテンネット生地、ストレッチサテン生地、等を用いることができる。
【００１２】
請求項２の発明に係る腰ゴム入りボトムスは、請求項１の構成において、前記押え布は、前記腰ゴム入りボトムスの前中心近傍全体と前記押え布の下半分において前記伸縮性の大きい生地が二重に縫付けられたものである。
【００１３】
請求項３の発明に係る腰ゴム入りボトムスは、請求項１または請求項２の構成において、前記押え布は、前記身頃の前面下腹部周りの裏側のみに取付けられたものである。
【００１４】
請求項４の発明に係る腰ゴム入りボトムスは、請求項３の構成において、両脇ポケットの袋布を前身頃の前中心の裏側に縫付けて、前記押え布を前記袋布に縫付けて、前記袋布の下腹に当る部分及び前記袋布の腹部中心線に当る部分には伸縮性のない生地を用い、その他の部分には伸縮性を有する生地を用いたものである。
【００１５】
請求項５の発明に係る腰ゴム入りボトムスは、請求項１または請求項２の構成において、前記押え布は、バックガードルとして前記身頃のヒップ周りの裏側のみに取付けられたものである。
【００１６】
請求項６の発明に係る腰ゴム入りボトムスは、請求項５の構成において、前記バックガードルは、前記身頃の脇線からベルト部に股下まで届くようにヒップラインの部分は二重にしてパワーネット生地を縫付けてさらに反対側の脇線まで半周させて縫付けたものである。
【００１７】
請求項７の発明に係る腰ゴム入りボトムスは、請求項５または請求項６の構成において、前記バックガードルは、股下７ｃｍ以上１０ｃｍ未満としたものである。
【００１８】
請求項８の発明に係る腰ゴム入りボトムスは、請求項５の構成において、後身頃の裏側に前記バックガードルとして伸縮性の大きい生地を用いてヒップ部分を持上げるようにするとともに、前記バックガードルの左右の上端において前記伸縮性の大きい生地にダーツを設けたものである。
【００１９】
請求項９の発明に係る腰ゴム入りボトムスは、請求項１乃至請求項８のいずれか１つの構成において、前記身頃の前中心に擬似前立てを設けたものである。ここで、「擬似前立て」とは、見た目が前中心のファスナーを隠す通常の前立てと同じで、内部にはファスナーが付いていないものをいう。
【００２０】
請求項１０の発明に係る腰ゴム入りボトムスは、請求項１乃至請求項９のいずれか１つの構成において、前記ベルト部の上端が前中心及び後中心から両脇に向かって上昇する曲線形状を有しており、前記身頃の上端が前中心及び後中心から両脇に向かって上昇する曲線形状を有しているものである。
【発明の効果】
【００２１】
請求項１の発明に係る腰ゴム入りボトムスは、ベルト布を縫い合わせてなるベルト部と身頃とを有し、ベルト部の全周に亘って平らな腰ゴムを仕込んだ腰ゴム入りボトムスであって、ベルト部及び身頃の上端から裾周りまでが伸縮性を有する生地からなり、ベルト部が収縮した状態において収縮した状態における腰ゴムと全周長さが略一致しており、ベルト部及びベルト部近傍の身頃が身頃のヒップ周りの大きさ以上に伸長可能で、ベルト部近傍の身頃の裏側及び身頃のヒップ周りの裏側に全周に亘って伸縮性の大きい生地からなる押え布を取付けて、押え布はベルト部及び股座部分のみにおいて身頃の裏側に縫付けられている。
【００２２】
かかる構成を有する腰ゴム入りボトムスは、腰ゴムのみでウエスト周りを締め付けて着用する構造であり、ベルト部及びベルト部近傍の身頃が身頃のヒップ周りの大きさ以上に伸長可能であるため、ベルト部及びベルト部近傍の身頃を引き伸ばして着用することができるので、着脱が極めて容易である。また、ベルト部に伸長力が働かず腰ゴムが収縮した状態における腰ゴムの全周の長さは、ベルト部が収縮した状態における全周の長さと略同一である。したがって、着用していない状態においても、ベルト部の全周の長さと腰ゴムの全周の長さとが一致しているため、ベルト部及びその周辺にシワがよることがなく、商品として陳列された場合にも非常に見栄えが良い。
【００２３】
更に、ベルト部近傍の身頃の少なくとも上端から腰周りまでが伸縮性を有する生地からなるため、着用者の腰周りにぴったりフィットして、美しいシルエットを形成する。しかも、ベルトを使用する必要がないため着脱がより容易になり、またベルト通しを取付ける必要もなく、見栄えがすっきりしたファッション性の高いボトムスとなる。
【００２４】
そして、伸縮性の大きい生地からなる押え布が、ウエスト周りとヒップ周りに全周に亘って取付けられているため、着用することによって下腹部が押さえられるとともにヒップアップされて、着用したときのシルエットが非常に美しくなるとともに、スタイル良く見せることができる。
【００２５】
このようにして、タウンウェアとしてのファッション性を有しており、着用したときのシルエットが美しく、かつ、極めて容易に着脱でき、着心地良く下腹部を引き締めたりヒップアップしたりして、スタイル良く見せることができる腰ゴム入りボトムスとなる。
【００２６】
請求項２の発明に係る腰ゴム入りボトムスにおいては、押え布が腰ゴム入りボトムスの前中心近傍全体と押え布の下半分において伸縮性の大きい生地が二重に縫付けられたことから、より効果的に下腹部が押さえられるとともにヒップアップされて、よりスタイル良く見せることができる。
【００２７】
請求項３の発明に係る腰ゴム入りボトムスにおいては、押え布が身頃の前面下腹部周りの裏側のみに取付けられたことから、より簡単な構造によって、より低コストで、下腹部を引き締める効果のみを得ることができる。
【００２８】
請求項４の発明に係る腰ゴム入りボトムスにおいては、両脇ポケットの袋布を前身頃の前中心の裏側に縫付けて、押え布を袋布に縫付けて、袋布の下腹に当る部分及び袋布の腹部中心線に当る部分には伸縮性のない生地を用い、その他の部分には伸縮性を有する生地を用いたことから、着用したときに下腹に当る部分の生地の伸縮性がないために、下腹が出ている人でも押え付けられて平坦な下腹部のシルエットが得られるため、簡単な構造によって、より効果的に下腹部を引き締める効果を得ることができる。
【００２９】
請求項５の発明に係る腰ゴム入りボトムスにおいては、押え布がバックガードルとして身頃のヒップ周りの裏側のみに取付けられたことから、より簡単な構造によって、より低コストで、ヒップアップの効果のみを得ることができる。
【００３０】
請求項６の発明に係る腰ゴム入りボトムスにおいては、バックガードルが、身頃の脇線からベルト部に股下まで届くようにヒップラインの部分は二重にしてパワーネット生地を縫付けてさらに反対側の脇線まで半周させて縫付けたものであることから、簡単な構造によって、より効果的にヒップアップの効果を得ることができる。
【００３１】
請求項７の発明に係る腰ゴム入りボトムスにおいては、バックガードルが股下７ｃｍ以上１０ｃｍ未満としたものである。バックガードルの股下が７ｃｍ未満であると、短すぎてヒップラインを持ち上げる効果が得られ難く、またバックガードルの股下が１０ｃｍ以上であると長すぎてパワーネット生地による締め付けて持ち上げる効果がヒップ部分まで及ばない。即ち、短すぎず長すぎず適度な股下長さとすることによって、ヒップ部分が弛み気味の人でもヒップ部分が持上げられて、美しいヒップラインが形成される。
【００３２】
請求項８の発明に係る腰ゴム入りボトムスにおいては、後身頃の裏側にバックガードルとして伸縮性の大きい生地を用いてヒップ部分を持上げるようにするとともに、前記バックガードルの左右の上端において伸縮性の大きい生地にダーツを設けたものである。ここで、ダーツ部分のみは後身頃に縫付けられていないため、ダーツ部分の伸縮によってヒップ部分を立体的に見せることができ、ヒップ部分が弛み気味の人でもヒップ部分が持上げられて、美しいヒップラインが形成される。また、構造が簡単なため製造が容易であり、製造コストを低減することができる。
【００３３】
請求項９の発明に係る腰ゴム入りボトムスにおいては、身頃の前中心に擬似前立てを設けている。スカート以外のボトムス、すなわちズボン（パンツ）・クロフト（六分丈〜八分丈）パンツ・ハーフパンツ・ショートパンツ・キュロットスカート等においては、通常の場合には身頃の前中心にファスナーが取付けられていて、ファスナーを上げ下げして着脱するため、ファスナーを隠すための前立てが設けられている。そこで、スカート以外の腰ゴム入りボトムスにおいては、身頃の前中心に擬似前立てを設けることによって、より通常のタウンウェアらしく見せることができる。
【００３４】
請求項１０の発明に係る腰ゴム入りボトムスにおいては、ベルト部の上端が前中心及び後中心から両脇に向かって上昇する曲線形状を有しており、身頃の上端が前中心及び後中心から両脇に向かって上昇する曲線形状を有している。すなわち、ベルト部の上端及び身頃の上端が直線的なラインではなく、カーブするラインとなっている。
【００３５】
これによって、ベルト部及びその近傍のラインがウエスト周りにフィットする立体的な形状となり、着用したときにより滑らかなシルエットのボトムスとなる。また、身頃の上端のラインをウエスト周りにフィットする立体的な形状としたことによって、ベルト部と身頃の上端との間で角張ることがなく、ベルト部と身頃との繋がりが良いすっきりとした脇線のシルエットが得られる。
【図面の簡単な説明】
【００３６】
【図１】図１（ａ）は本発明の実施の形態１に係る腰ゴム入りボトムスの全体構成を示す正面図、（ｂ）は背面図である。
【図２】図２は本発明の実施の形態１に係る腰ゴム入りボトムスの内部構造を示す展開仕様図である。
【図３】図３は本発明の実施の形態１の第１変形例に係る腰ゴム入りボトムスの内部構造を示す展開仕様図である。
【図４】図４は本発明の実施の形態１の第２変形例に係る腰ゴム入りボトムスの内部構造を示す展開仕様図である。
【図５】図５は本発明の実施の形態１の第３変形例に係る腰ゴム入りボトムスの内部構造を示す展開仕様図である。
【図６】図６（ａ）は本発明の実施の形態２に係る腰ゴム入りボトムスの全体構成を示す正面図、（ｂ）は背面図である。
【図７】図７は本発明の実施の形態２に係る腰ゴム入りボトムスの内部構造を示す展開仕様図である。
【図８】図８は本発明の実施の形態２に係る腰ゴム入りボトムスの内部構造を示す展開仕様図である。
【図９】図９は本発明の実施の形態２に係る腰ゴム入りボトムスの内部構造を示す展開仕様図である。
【図１０】図１０は本発明の実施の形態２に係る腰ゴム入りボトムスの内部構造を示す展開仕様図である。
【図１１】図１１（ａ）は本発明の実施の形態３に係る腰ゴム入りボトムスの全体構成を示す背面図、（ｂ）は内部構造を示す展開仕様図である。
【図１２】図１２（ａ）は本発明の実施の形態３の変形例に係る腰ゴム入りボトムスの全体構成を示す背面図、（ｂ）は内部構造を示す展開仕様図である。
【発明を実施するための形態】
【００３７】
以下、本発明に係る腰ゴム入りボトムス及びその製造方法の実施の形態について、図面を参照しつつ説明する。なお、実施の形態２以降において、実施の形態１の部分と同一の記号及び同一の符号は、実施の形態１と同一または相当する機能部分を意味し、実施の形態相互の同一の記号及び同一の符号は、それら実施の形態に共通する機能部分であるから、ここでは重複する詳細な説明を省略する。
【００３８】
実施の形態１
まず、本発明の実施の形態１に係る腰ゴム入りボトムスについて、図１乃至図５を参照して説明する。
【００３９】
図１（ａ）は本発明の実施の形態１に係る腰ゴム入りボトムスの全体構成を示す正面図、（ｂ）は背面図である。図２は本発明の実施の形態１に係る腰ゴム入りボトムスの内部構造を示す展開仕様図である。図３は本発明の実施の形態１の第１変形例に係る腰ゴム入りボトムスの内部構造を示す展開仕様図である。図４は本発明の実施の形態１の第２変形例に係る腰ゴム入りボトムスの内部構造を示す展開仕様図である。図５は本発明の実施の形態１の第３変形例に係る腰ゴム入りボトムスの内部構造を示す展開仕様図である。
【００４０】
図１（ａ），（ｂ）に示されるように、本実施の形態１に係る腰ゴム入りボトムスとしてのブーツカット（フルレングス）パンツ１は、伸縮性を有する生地としてのポリウレタン混合生地からなるベルト布から構成されるベルト部２と、伸縮性を有する生地としてのポリウレタン混合生地からなる身頃３（前身頃３Ａ、後身頃３Ｂ）を有しており、ベルト部２には平らな腰ゴム４が仕込まれている。本実施の形態１においては、平らな腰ゴム４として、幅広のオペロン（登録商標）ゴムを使用している。また、図１（ａ）に示されるように、前身頃３Ａの前中心ＦＣには、擬似前立て５が設けられている。
【００４１】
ここで、腰ゴム４は、無端状に両端を接続されてベルト部２の内部に収容されており、両脇でステッチ縫いによってベルト部２に縫付けられている。そして、ベルト部２に伸長力が働かず腰ゴム４が収縮した状態における腰ゴム４の全周の長さは、ベルト部２が収縮した状態における全周の長さと略同一である。したがって、ブーツカットパンツ１は、着用していない状態においてもベルト部２の全周の長さと腰ゴム４の全周の長さとが一致しているため、ベルト部２にシワがよることがなく、商品として陳列された場合にも非常に見栄えが良い。
【００４２】
そして、図１（ａ），（ｂ）に破線で示されるように、ブーツカットパンツ１の腹部裏側には、全周にわたって、伸縮性の大きい生地としてのパワーネットからなる押え布６が取付けられている。したがって、ブーツカットパンツ１を着用することによって、前面の押え布６で腹部が押さえられる効果が得られ、背面の押え布６でヒップアップの効果が得られる。
【００４３】
次に、ブーツカットパンツ１の内部構造について、図２の展開仕様図を参照して説明する。図２に示されるように、本実施の形態１に係るブーツカットパンツ１の前中心ＦＣから左右対称にパワーネット７が後中心ＢＣまで、ウエスト周りのみがベルト部２に縫付けられることによって、取付けられている。また、前中心ＦＣから左右対称に、パワーネット８が、パワーネット７の一部と二重になるようにして、縫付けられている。これらのパワーネット７，８によって、押え布６が構成されている。
【００４４】
そして、後中心ＢＣにおいては左右対称のパワーネット７，８の先端部分が互いに縫い合わされるとともに、股座に縫付けられている。かかる構造のブーツカットパンツ１を着用することによって、前中心ＦＣの左右近傍全体が二重になったパワーネット７，８によって腹部前面が押さえられて、着心地良く下腹部を引き締めることができる。また、ヒップラインに沿って二重になったパワーネット７，８によって、ヒップアップの効果が得られるため、スタイル良く見せることができる。
【００４５】
このように、前開きのないブーツカットパンツ１の内部にパワーネット７，８を取付けることによって、ウエスト部分と股座部分のみにおいて身頃３と縫付けられているため、身頃３の表側に出るアタリや引き攣れが軽減されて、より美しいシルエットが形成される。また、構造が至って簡単であるため製造も容易であり、製造コストを低減することができる。
【００４６】
次に、本実施の形態１の第１変形例に係るブーツカットパンツ１Ａの内部構造について、図３の展開仕様図を参照して説明する。図３に示されるように、本実施の形態１の第１変形例に係るブーツカットパンツ１Ａの前中心ＦＣから左右対称にパワーネット７が後中心ＢＣまで、ウエスト周りのみがベルト部２に縫付けられることによって、取付けられている。また、前中心ＦＣから左右対称に、パワーネット８Ａが、パワーネット７の一部と二重になるようにして、縫付けられている。
【００４７】
すなわち、第１変形例に係るブーツカットパンツ１Ａの内部構造が、上記実施の形態１に係るブーツカットパンツ１と異なるのは、パワーネット８Ａがより幅広となっており、パワーネット８Ａの上端がパワーネット８の上端よりも上に位置している点である。この結果、図２に示されるように、パワーネット８の上端は、二点鎖線で示されるヒップラインＨＬよりも下に位置しているが、図３に示されるように、パワーネット８Ａの上端は、ヒップラインＨＬよりも上に位置している。これらのパワーネット７，８Ａによって、押え布６が構成されている。
【００４８】
なお、パワーネット８Ａの上端の位置は、ヒップラインＨＬから５ｃｍを超えない範囲内で、ヒップラインＨＬよりも上であることが好ましい。これによって、パワーネット７とパワーネット８Ａが二重になった部分の幅が大きくなり、ヒップラインを持ち上げる効果がより大きくなって、スタイルをより良く見せることができる。パワーネット８Ａの上端の位置がヒップラインＨＬから５ｃｍを超えると、パワーネット８Ａがヒップを引き下げる作用も大きくなってくる結果、ヒップを持ち上げる効果が相殺されてしまうため、好ましくない。
【００４９】
次に、本実施の形態１の第２変形例に係るブーツカットパンツ１Ｂの内部構造について、図４の展開仕様図を参照して説明する。図４に示されるように、本実施の形態１の第２変形例に係るブーツカットパンツ１Ｂの前中心ＦＣから左右対称にパワーネット７Ａ，７Ｂが後中心ＢＣまで、ウエスト周りのみがベルト部２に縫付けられることによって、取付けられている。また、前中心ＦＣから左右対称に、パワーネット８Ａ，８Ｂが、パワーネット７Ａ，７Ｂの一部と二重になるようにして、縫付けられている。そして、パワーネット７Ａ，８Ａは、接ぎ１０Ａにおいてパワーネット７Ｂ，８Ｂに縫合わされている。
【００５０】
すなわち、第２変形例に係るブーツカットパンツ１Ｂの内部構造が、上記実施の形態１の第１変形例に係るブーツカットパンツ１Ａと異なるのは、パワーネット７Ａ，８Ａが途中で分割されて、接ぎ１０Ａにおいてパワーネット７Ｂ，８Ｂに縫合わされている点である。これらのパワーネット７Ａ，７Ｂ，８Ａ，８Ｂによって、押え布６が構成されている。これによって、ウエスト部分からヒップ部分にかけて、身頃にダーツ処理が必要なサイズを作製する場合においても、美しく平坦な下腹部のシルエットを得ることができる。
【００５１】
次に、本実施の形態１の第３変形例に係るブーツカットパンツ１Ｃの内部構造について、図５の展開仕様図を参照して説明する。図５に示されるように、本実施の形態１の第３変形例に係るブーツカットパンツ１Ｃの前中心ＦＣから左右対称にパワーネット７Ａ，７Ｂ，７Ｃが後中心ＢＣまで、ウエスト周りのみがベルト部２に縫付けられることによって、取付けられている。また、前中心ＦＣから左右対称に、パワーネット８Ａ，８Ｂ，８Ｃが、パワーネット７Ａ，７Ｂ，７Ｃの一部と二重になるようにして、縫付けられている。そして、パワーネット７Ａ，８Ａは接ぎ１０Ａにおいてパワーネット７Ｂ，８Ｂに縫合わされ、パワーネット７Ｂ，８Ｂは接ぎ１０Ｂにおいてパワーネット７Ｃ，８Ｃに縫合わされている。
【００５２】
すなわち、第３変形例に係るブーツカットパンツ１Ｃの内部構造が、上記実施の形態１の第１変形例に係るブーツカットパンツ１Ａと異なるのは、パワーネット７Ａ，８Ａが途中で分割されて、接ぎ１０Ａにおいてパワーネット７Ｂ，８Ｂに縫合わされ、更にパワーネット７Ｂ，８Ｂが途中で分割されて、接ぎ１０Ｂにおいてパワーネット７Ｃ，８Ｃに縫合わされている点である。これらのパワーネット７Ａ，７Ｂ，７Ｃ，８Ａ，８Ｂ，８Ｃによって、押え布６が構成されている。これによって、ウエスト部分からヒップ部分にかけて、身頃にダーツ処理が必要なサイズを作製する場合においても、美しく平坦な下腹部のシルエットを得ることができる。
【００５３】
このようにして、本実施の形態１に係る腰ゴム入りボトムスとしてのブーツカットパンツ１，１Ａ，１Ｂ，１Ｃにおいては、腰ゴム４のみでウエスト周りを締め付けて着用する構造であり、ベルト部２及びベルト部２近傍の身頃３が身頃３のヒップ周りの大きさ以上に伸長可能であるため、ベルト部２及びベルト部２近傍の身頃３を引き伸ばして着用することができるので、着脱が極めて容易である。
【００５４】
また、ベルト部２に伸長力が働かず腰ゴム４が収縮した状態における腰ゴム４の全周の長さは、ベルト部２が収縮した状態における全周の長さと略同一である。したがって、着用していない状態においても、ベルト部２の全周の長さと腰ゴム４の全周の長さとが一致しているため、ベルト部２及びその周辺にシワがよることがなく、商品として陳列された場合にも非常に見栄えが良い。
【００５５】
更に、ベルト部２近傍の身頃３の少なくとも上端から腰周りまでが伸縮性を有する生地からなるため、着用者の腰周りにぴったりフィットして、美しいシルエットを形成する。しかも、ベルトを使用する必要がないため着脱がより容易になり、またベルト通しを取付ける必要もなく、見栄えがすっきりしたファッション性の高いボトムスとなる。
【００５６】
そして、伸縮性の大きい生地としてのパワーネットからなる押え布６が、ウエスト周りとヒップ周りに全周に亘って取付けられているため、着用することによって下腹部が押さえられるとともにヒップアップされて、着用したときのシルエットが非常に美しくなるとともに、スタイル良く見せることができる。
【００５７】
実施の形態２
次に、本発明の実施の形態２に係る腰ゴム入りボトムスについて、図６乃至図１０を参照して説明する。
【００５８】
図６（ａ）は本発明の実施の形態２に係る腰ゴム入りボトムスの全体構成を示す正面図、（ｂ）は背面図である。図７は本発明の実施の形態２に係る腰ゴム入りボトムスの内部構造を示す展開仕様図である。図８は本発明の実施の形態２に係る腰ゴム入りボトムスの内部構造を示す展開仕様図である。図９は本発明の実施の形態２に係る腰ゴム入りボトムスの内部構造を示す展開仕様図である。図１０は本発明の実施の形態２に係る腰ゴム入りボトムスの内部構造を示す展開仕様図である。
【００５９】
図６（ａ），（ｂ）に示されるように、本実施の形態２に係る腰ゴム入りボトムスとしてのブーツカット（フルレングス）パンツ１１は、全体の構成については、上記実施の形態１に係る腰ゴム入りボトムスとしてのブーツカットパンツ１とほぼ同一である。異なるのは、押え布１２が前身頃３Ａの裏側のみに取付けられており、後身頃３Ｂの裏側には取付けられていない点である。
【００６０】
すなわち、図７の展開仕様図に示されるように、本実施の形態２に係るブーツカットパンツ１１においては、前身頃３Ａを構成する生地１３Ａ，１３Ｂの裏側のみに押え布１２が取付けられており、押え布１２は両脇線ＬＳ，ＲＳ及びベルト部２のみにおいて前身頃３Ａに縫付けられていて、押え布１２の裾部分はフリーになっている。そして、図８に示されるように、押え布１２は、袋布１５，１６Ａ，１６Ｂから構成されており、袋布１５は伸縮性を有する生地からなり、袋布１６Ａ，１６Ｂは伸縮性を有しない生地からなる。
【００６１】
これらの袋布１５，１６Ａ，１６Ｂが、図９に示される向こう布１７と縫い合わされることによって、ブーツカットパンツ１１の両脇のポケットが構成される。図９に示されるように、向こう布１７の両脇部分の下端は、ヒップラインＨＬの位置からヒップラインＨＬの下方５ｃｍの位置までの範囲内にあり、向こう布１７の前中心部分の下端は、ヒップラインＨＬの下方１ｃｍの位置にある。そして、前中心ＦＣにおいて、左右対称の一対の向こう布１７が、接ぎ及びジグザグステッチ１７ａによって縫い合わされている。
【００６２】
このように前中心ＦＣにおいて縫い合わされることによって、向こう布１７の余分に切り落とされる部分が少なくなり、生地が節約される。なお、向こう布１７の生地が前身頃３Ａを構成する生地１３Ａ，１３Ｂと異なる場合には、両脇のポケット口の表から見える部分には、図９に示されるように、共布１８が縫付けられるか、図１０に示されるように、当て布１８が用いられる。更に、図１０に示されるように、両脇のポケット口から３ｃｍの位置において袋布１５と向こう布１７とを縫付けることによって、両脇のポケットが前中心ＦＣにまで到達するのを防止することができる。
【００６３】
このようにして、本実施の形態２に係る腰ゴム入りボトムスとしてのブーツカットパンツ１１においては、腰ゴム４のみでウエスト周りを締め付けて着用する構造であり、ベルト部２及びベルト部２近傍の身頃３が身頃３のヒップ周りの大きさ以上に伸長可能であるため、ベルト部２及びベルト部２近傍の身頃３を引き伸ばして着用することができるので、着脱が極めて容易である。
【００６４】
また、ベルト部２に伸長力が働かず腰ゴム４が収縮した状態における腰ゴム４の全周の長さは、ベルト部２が収縮した状態における全周の長さと略同一である。したがって、着用していない状態においても、ベルト部２の全周の長さと腰ゴム４の全周の長さとが一致しているため、ベルト部２及びその周辺にシワがよることがなく、商品として陳列された場合にも非常に見栄えが良い。
【００６５】
更に、ベルト部２近傍の身頃３の少なくとも上端から腰周りまでが伸縮性を有する生地からなるため、着用者の腰周りにぴったりフィットして、美しいシルエットを形成する。しかも、ベルトを使用する必要がないため着脱がより容易になり、またベルト通しを取付ける必要もなく、見栄えがすっきりしたファッション性の高いボトムスとなる。
【００６６】
そして、押え布１２を構成する袋布の、下腹に当る部分１６Ｂ及び腹部中心線に当る部分１６Ａには伸縮性のない生地を用いているため、着用することによって下腹部が押さえられて、着用したときのシルエットが非常に美しくなるとともに、スタイル良く見せることができる。
【００６７】
実施の形態３
次に、本発明の実施の形態３に係る腰ゴム入りボトムスについて、図１１乃至図１２を参照して説明する。
【００６８】
図１１（ａ）は本発明の実施の形態３に係る腰ゴム入りボトムスの全体構成を示す背面図、（ｂ）は内部構造を示す展開仕様図である。図１２（ａ）は本発明の実施の形態３の変形例に係る腰ゴム入りボトムスの全体構成を示す背面図、（ｂ）は内部構造を示す展開仕様図である。
【００６９】
図１１（ａ）に示されるように、本実施の形態３に係る腰ゴム入りボトムスとしてのブーツカット（フルレングス）パンツ２１は、全体の構成については、上記実施の形態１に係る腰ゴム入りボトムスとしてのブーツカットパンツ１とほぼ同一である。異なるのは、押え布２２が後身頃３Ｂの裏側のみに取付けられており、前身頃３Ａの裏側には取付けられていない点である。
【００７０】
すなわち、図１１（ｂ）に示されるように、押え布２２は伸縮性の大きい生地としてのパワーネットからなり、ウエスト上にダーツ２３が設けられ、後中心ＢＣ上（後股座上）に弾性素材２４が縫付けられている。このようにダーツ２３が設けられることによって、身体のラインに沿った美しいヒップラインを形成することができ、弾性素材２４が縫付けられることによって、下垂したヒップを持ち上げる効果を得ることができる。
【００７１】
また、押え布２２の股下部分２５の長さは、７ｃｍ以上で１０ｃｍ未満であることが好ましい。股下部分２５の長さが７ｃｍ未満であると、短すぎてヒップラインを持ち上げる効果が得られ難く、一方、股下部分２５の長さが１０ｃｍ以上であると長すぎてパワーネット生地による締め付けて持ち上げる効果がヒップ部分まで及ばないからである。なお、左側背面部の押え布２２は、図１１（ｂ）と左右対称の構成を有している。そして、これらの左右一対の押え布２２は、後中心ＢＣにおいて縫い合わされている。
【００７２】
次に、本発明の実施の形態３の変形例に係る腰ゴム入りボトムスについて、図１２を参照して説明する。図１２（ａ）に示されるように、本実施の形態３の変形例に係る腰ゴム入りボトムスとしてのブーツカット（フルレングス）パンツ２１Ａは、全体の構成については、上記実施の形態３に係るブーツカットパンツ２１とほぼ同一である。異なるのは、押え布２２Ａの構成のみである。
【００７３】
すなわち、図１２（ｂ）に示されるように、押え布２２Ａは伸縮性の大きい生地としてのパワーネットからなり、ベース部材２６，２７及びヒップ下部材２８の３枚の部材から構成されている。ベース部材２６とベース部材２７とは縦のラインに沿って縫い合わされており、ベース部材２７の後中心ＢＣ上（後股座上）に弾性素材２４が縫付けられている。このように縦のラインに沿って分割されることによって、身体のラインに沿った美しいヒップラインを形成することができ、弾性素材２４が縫付けられることによって、下垂したヒップを持ち上げる効果を得ることができる。
【００７４】
更に、ヒップ下部材２８がベース部材２６，２７に、Ｚステッチによって縫付けられることによってボトムス表面に縫い目が響くことがなく、またヒップ下が二重構造になり、より強力なヒップを持ち上げる効果を得ることができる。なお、ヒップ下部材２８の脇線ＲＳ部分の幅は、ヒップラインＨＬを挟んで５ｃｍ〜２０ｃｍの範囲内であることが好ましい。左側背面部の押え布２２Ａは、図１２（ｂ）と左右対称の構成を有している。そして、これらの左右一対の押え布２２Ａは、後中心ＢＣにおいて縫い合わされている。
【００７５】
このようにして、本実施の形態３に係る腰ゴム入りボトムスとしてのブーツカットパンツ２１，２１Ａにおいては、腰ゴム４のみでウエスト周りを締め付けて着用する構造であり、ベルト部２及びベルト部２近傍の身頃３が身頃３のヒップ周りの大きさ以上に伸長可能であるため、ベルト部２及びベルト部２近傍の身頃３を引き伸ばして着用することができるので、着脱が極めて容易である。
【００７６】
また、ベルト部２に伸長力が働かず腰ゴム４が収縮した状態における腰ゴム４の全周の長さは、ベルト部２が収縮した状態における全周の長さと略同一である。したがって、着用していない状態においても、ベルト部２の全周の長さと腰ゴム４の全周の長さとが一致しているため、ベルト部２及びその周辺にシワがよることがなく、商品として陳列された場合にも非常に見栄えが良い。
【００７７】
更に、ベルト部２近傍の身頃３の少なくとも上端から腰周りまでが伸縮性を有する生地からなるため、着用者の腰周りにぴったりフィットして、美しいシルエットを形成する。しかも、ベルトを使用する必要がないため着脱がより容易になり、またベルト通しを取付ける必要もなく、見栄えがすっきりしたファッション性の高いボトムスとなる。
【００７８】
そして、伸縮性の大きい生地としてのパワーネットからなる押え布２２，２２Ａが、背面のヒップ周りに取付けられているため、着用することによってヒップラインが引き上げられて、着用したときのシルエットが非常に美しくなるとともに、スタイル良く見せることができる。
【００７９】
上記各実施の形態においては、腰ゴム入りボトムスとしてブーツカット（フルレングス）パンツ１，１１のみについて説明したが、腰ゴム入りボトムスとしてはこれに限られるものではなく、クロフトパンツ・ハーフパンツ・ショートパンツ・スカート・キュロットスカート等のボトムス全般に適用することができる。
【００８０】
また、上記各実施の形態においては、伸縮性を有する生地としてポリウレタンが５％混入されたポリウレタン混合生地を用いた場合について説明したが、伸縮性を有する生地としてはこれに限られるものではなく、伸縮性ポリエステル生地、ニット生地、トリコット生地、ポリウレタンが１％から３０％混入されたポリウレタン混合生地、綿ストレッチ生地、等を用いることができる。
【００８１】
更に、上記各実施の形態においては、ベルト部２，１２と身頃３，１３とを同種の生地（ポリウレタン混合生地）で構成した場合について説明したが、ベルト部と身頃とを異なる生地で構成しても良い。また、身頃の少なくとも上端から腰周りまでは伸縮性を有する生地から構成される必要があるが、それより下の部分は同一の生地でも異なる生地でも良い。
【００８２】
本発明を実施するに際しては、腰ゴム入りボトムスのその他の部分の構成、形状、数量、材質、大きさ、接続関係等についても、上記各実施の形態に限定されるものではない。  なお、本発明の実施の形態で挙げている数値は、臨界値を示すものではなく、実施に好適な好適値を示すものであるから、上記数値を若干変更してもその実施を否定するものではない。
【符号の説明】
【００８３】
１，１Ａ，１Ｂ，１Ｃ，１１，２１，２１Ａ  腰ゴム入りボトムス
２  ベルト部
３  身頃
４  腰ゴム
５  擬似前立て
６，１２，２２，２２Ａ  押え布
【図１】
2011021294.tif 000003
【図２】
2011021294.tif 000004
【図３】
2011021294.tif 000005
【図４】
2011021294.tif 000006
【図５】
2011021294.tif 000007
【図６】
2011021294.tif 000008
【図７】
2011021294.tif 000009
【図８】
2011021294.tif 000010
【図９】
2011021294.tif 000011
【図１０】
2011021294.tif 000012
【図１１】
2011021294.tif 000013
【図１２】
2011021294.tif 000014